(57)【要約】【課題】  贈り先の「知識や経験を得たい」というニーズに応えるデータを、記念の品としてふさわしい形で提供する記念品を提供する。【解決手段】  記念品や商品のパッケージに、当該物品に関する情報や当該物品の所有者にとって有用な情報が得られる特定サイトへのアクセス手段を同梱し、当該物品の付加価値を高める。アクセス手段としては、バーコードや文字列などの表示や、アクセスに必要なデータを記録した、例えばＵＳＢメモリーのような記録媒体を用いることが可能である。記録媒体を用いれば、必要な情報を、記録媒体に予め直接記録しておいたり、記録媒体に予めインストールしたプログラムによって、必要な情報が掲載されているサイトに自動的にアクセスしたりすることも可能である。【選択図】図１
2013054709.tif 000002
【特許請求の範囲】
【請求項１】
パッケージにインターネットにおける特定のサイトへのアクセス手段を付加することを特徴とする、物品の頒布または販売の方法。
【請求項２】
前記アクセス手段には、前記物品の所有者のみをアクセス可能とする手続きを含むことを特徴とする、請求項１に記載の物品の頒布または販売の方法。
【請求項３】
前記アクセス手段には、バーコード、マトリックス型二次元コード、文字列表示、磁気記録媒体、光記録媒体、不揮発性の半導体メモリーから選ばれる少なくとも１種が含まれることを特徴とする、請求項１または請求項２に記載の物品の頒布または販売の方法。
【請求項４】
前記物品の所有者が必要とするテキストや画像を含むデジタルデータを制作し、前記特定のサイトにアップロードする手続きを有することを特徴とする、請求項１ないし請求項３のいずれかに記載の物品の頒布または販売の方法。
【請求項５】
前記特定のサイトには、前記物品に関わるデータが含まれることを特徴とする、請求項１ないし請求項４のいずれかに記載の物品の頒布または販売の方法。
【請求項６】
インターネットに接続可能なコンピュータにマウントすることにより、前記特定のサイトに自動的にアクセスするプログラムを含むことを特徴とする、請求項３に記載の物品の頒布または販売の方法に使用可能な、前記磁気記録媒体、前記光記録媒体、前記不揮発性の半導体メモリーから選ばれる少なくとも１種の記録媒体。
【発明の詳細な説明】
【技術分野】
【０００１】  本発明は、物品を購入または譲渡を受けた所有者が、必要とする情報に、インターネットを介して随時アクセスすることが可能な、当該物品の頒布または販売方法、並びに当該方法に使用可能な記録媒体に関するものである。
【背景技術】
【０００２】  一般に企業や個人が、宣伝や特定のイベントのために、ノベルティとして頒布する記念品は、例えば筆記具などの文房具やマグカップ、置き時計のように、贈り主の名前を入れた名入れ品が多いが、これらは美的感覚や実用性に劣り、譲渡を受けた側に、必ずしも喜ばれないものが多い。【０００３】  唯一、ＵＳＢメモリーなどの記録媒体は、幅広いシーンで使える実用的な記念品として人気が高い。だが、これもデザインなどの観点からは、贈り主の名前が入った程度が精々であり、受け取る側が喜ぶような要素は少ない。【０００４】  一方で、複雑化し先の読めない時代にあって、特に学校の卒業等の人生の節目に贈られる記念品においては、受け取る側は、単純なモノではなく、これからの人生を切り拓くための知識や経験に関する情報を求める傾向が増えている。【０００５】  例えば、ビジネスやその他の場面で必要となるマナー集や先輩のアドバイス等は、書籍、あるいはインターネット上のデータとして多く見ることができる。しかし、これらは記念品としてはそぐわないため、使われることはない。
【発明の概要】
【発明が解決しようとする課題】
【０００６】  従って、本発明の課題は、贈り先の「知識や経験を得たい」というニーズに応えるデータを、記念の品としてふさわしい形で提供する記念品を提供することにある。
【課題を解決するための手段】
【０００７】  パーソナルコンピュータの普及や性能向上に伴い、記録媒体は、初期に重用されたフロッピーディスクは姿を消し、大容量でしかも携帯性に優れたＳＤカードや前記のＵＳＢメモリーと称される、様々なデジタルデータの記録媒体が登場し、汎用品として普及している。【０００８】  このような記録媒体には、書籍やインターネット上のコンテンツのようなデジタルデータを記録することができる。また、インターネットにアクセス可能なコンピュータとＵＲＬに関する情報があれば、必要な情報が比較的簡単に得られる。本発明者は、これらを記念品に応用することを検討した結果、本発明をなすに至ったものである。【０００９】  即ち、本発明は、パッケージにインターネットにおける特定のサイトへのアクセス手段を付加することを特徴とする、物品の頒布または販売の方法である。【００１０】  また、本発明は、前記アクセス手段には、前記物品の所有者のみをアクセス可能とする手続きを含むことを特徴とする、前記の物品の頒布または販売の方法である。【００１１】  また、本発明は、前記アクセス手段には、バーコード、マトリックス型二次元コード、文字列表示、磁気記録媒体、光記録媒体、不揮発性の半導体メモリーから選ばれる少なくとも１種が含まれることを特徴とする、前記の物品の頒布または販売の方法である。【００１２】  また、本発明は、前記物品の所有者が必要とするテキストや画像を含むデジタルデータを制作し、前記特定のサイトにアップロードする手続きを有することを特徴とする、前記の物品の頒布または販売の方法である。【００１３】  また、本発明は、前記特定のサイトには、前記物品に関わるデータが含まれることを特徴とする、前記の物品の頒布または販売の方法である。【００１４】  また、本発明は、インターネットに接続可能なコンピュータにマウントすることにより、前記特定のサイトに自動的にアクセスするプログラムを含むことを特徴とする、前記の物品の頒布または販売の方法に使用可能な、磁気記録媒体、光記録媒体、不揮発性の半導体メモリーから選ばれる少なくとも１種の記録媒体である。
【発明の効果】
【００１５】  本発明に用いられる記録媒体は、前記のような構成もしくは機能を具備しているので、卒業祝いの記念品に応用する場合においては、例えば記念品の筆記具にＵＳＢメモリーを添付し、そのＵＳＢメモリーには、ビジネスで役に立つ文書の例を予め記録しておいたり、パーソナルコンピュータに接続して、予めインストールしてあるプログラムを起動することにより、ビジネス文書などを掲載したサイトにアクセスする機能を付与したりすることが可能である。【００１６】  また、本発明は、記録媒体そのものを記念品として用いるのみならず、一般的な記念品として使われる、例えばマグカップなどに、インターネット上の会員制サイトへのアクセスキーを同封することで、モノとしての記念品を楽しみつつ、会員制サイト内の役立つデジタルデータを活用することができるというような、記念品とデータをセットにしてプレゼントすることにも関するものである。この場合は、記録媒体を添付しないで、バーコード、ＱＲコード（登録商標）を代表とするマトリックス型二次元コード、文字列表示などからなる表示物を添付してもよい。【００１７】  さらには、本発明は、贈答品、ノベルティ以外に、通常の商品販売への応用も可能である。この場合は、通常の商品に添付して販売し、添付された記録媒体から、当該商品のメーカーにアクセスして商品購入に伴って生じる特典に関する情報を得たり、当該商品の製造番号を登録することにより様々なアフターサービスを受けられるようにしたりすることも可能である。【００１８】  そして、いずれの場合においても、記念品として受け取ったり、一般の商品として購入したりした、記録媒体の所有者に対する特典に関する事項においては、所要のサイトへのアクセスの際に、認証が必要になる場合もあり、その際ＩＤやパスワードのような一般的な認証手段を用いることができる。この場合、記録媒体自体にＩＤを付与することも可能である。また、この手段が特典に関する事項以外にも使用できるのは、勿論である。【００１９】  また、アクセスにＩＤやパスワードを用いれば、記録媒体の複数の所有者が共有すると便利な情報などを、サイトにアップロードすることを可能にしても、「なりすまし」を防止できるので、サイトへの悪意のある書き込みを防止できる。
【図面の簡単な説明】
【００２０】
【図１】  本発明に用いられる記録媒体の運用方法の一例を模式的に示した図。
【発明を実施するための形態】
【００２１】  次に本発明の実施の形態について説明する。
【００２２】  図１は、本発明に用いられる記録媒体の運用方法の一例を模式的に示した図である。図１において、１はＵＳＢメモリー、２ａ、２ｂはパーソナルコンピュータ、３はインターネット、４はサイトに関するデータが収録されたサーバーである。
【００２３】  ここで使用できるパーソナルコンピュータは、インターネットが使用できる機能を具備していることが必要であるが、機種を問わないことは勿論である。また、記録媒体としては、フロッピーディスクのような磁気記録媒体や、ＣＤやＤＶＤのような光記録媒体も使用できるが、書き込みができた方が利便性が向上することや、容量、携帯性を考慮すると、不揮発性の半導体メモリー、つまり、ＵＳＢメモリーやＳＤカードのようなフラッシュメモリーが望ましく、特に望ましいのは、カードリーダーが不要であるという利便性を有するＵＳＢメモリーである。
【００２４】  図１に示したように、記念品や一般的な商品に添付された、ＵＳＢメモリーをパーソナルコンピュータに接続することにより、当該記念品や当該商品に関係するサイトに接続して、記録媒体の所有者が必要とする情報を得たり、特典や商品に関するアフターサービスなどを受けたりすることができるのは、前記の通りである。また、記録媒体を用いずに、文字列表示などで示されたＵＲＬにより、所要のサイトにアクセスして、本発明を利用することが可能であることも前記の通りである。
【００２５】  以上に説明したように、本発明によれば、記念品や一般の商品に、新たな付加価値を付与し、ネットの利便性を、従来よりも活用できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】１          ＵＳＢメモリー
２ａ，２ｂ  パーソナルコンピュータ
３          インターネット
４          サーバー
【図１】
2013054709.tif 000003